(57)【要約】【課題】界面活性剤を含まず、次亜塩素酸ナトリウムの安定性、金属イオン封鎖力の安定性等の諸性能に優れ、特に、低温安定性、高温安定性に優れるとともに、ガラス面に対する影響もない、優れた自動食器洗浄機用液体洗浄剤組成物を提供する。【解決手段】有効成分として（Ａ）トリポリリン酸ナトリウム２〜１３質量％、（Ｂ）ケイ酸ナトリウム１〜２０質量％、（Ｃ）水酸化カリウム０．１〜２０質量％、（Ｄ）次亜塩素酸アルカリ金属塩を有効塩素量として０．２〜３質量％、（Ｅ）高分子電解質重合体０．１〜５質量％を含有するとともに、（Ｆ）水を含有し、上記有効成分量の合計が、組成物全体に対し１０〜５０質量％である自動食器洗浄機用液体洗浄剤組成物である。【選択図】なし【特許請求の範囲】
【請求項１】
有効成分として下記の（Ａ）〜（Ｅ）成分を含有するとともに、（Ｆ）水を含有し、上記有効成分量の合計が、組成物全体に対し１０〜５０質量％であることを特徴とする自動食器洗浄機用液体洗浄剤組成物。
（Ａ）トリポリリン酸ナトリウム２〜１３質量％
（Ｂ）ケイ酸ナトリウム１〜２０質量％
（Ｃ）水酸化カリウム０．１〜２０質量％
（Ｄ）次亜塩素酸アルカリ金属塩を有効塩素量として０．２〜３質量％
（Ｅ）高分子電解質重合体０．１〜５質量％
【請求項２】
有効成分として、さらに（Ｂ′）ケイ酸カリウム０．１〜２０質量％が含有されている請求項１記載の自動食器洗浄機用液体洗浄剤組成物。
【請求項３】
有効成分として、さらに（Ａ′）トリポリリン酸カリウム０．１〜２０質量％および（Ｃ′）水酸化ナトリウム０．１〜５質量％の少なくとも一方が含有されている請求項１または２記載の自動食器洗浄機用液体洗浄剤組成物。
【請求項４】
上記自動洗浄機用液体洗浄剤組成物を希釈してなる０．２質量％水溶液のｐＨ（ＪＩＳ  Ｚ−８８０２：１９８４「ｐＨ測定方法」）が、２５℃で１１以上に設定されている請求項１〜３のいずれか一項に記載の自動食器洗浄機用液体洗浄剤組成物。
【発明の詳細な説明】
【技術分野】
【０００１】
本発明は、食器、ガラス、陶磁器、金属、プラスチック等の硬表面の洗浄に適する自動食器洗浄機用液体洗浄剤組成物に関する。
【背景技術】
【０００２】
従来から、ホテル、レストラン、学校、病院、飲食店、給食会社、会社の食堂等において、使用後の食器を効率よく洗浄するため、自動食器洗浄機が広く用いられている。また、食器に限らず、各種製造工場、加工工場等においても、器具や容器、流通に用いられるプラスチックコンテナ等を洗浄するために自動洗浄機が用いられている。
【０００３】
上記自動食器洗浄機や自動洗浄機用の洗浄剤組成物としては、例えば、トリポリリン酸カリウム３〜４０重量％とトリポリリン酸ナトリウム０〜１７重量％との混合物１０〜４５重量％、ＳｉＯ2 ／Ｋ2 Ｏのモル比が０．５〜１のケイ酸カリウム１〜２０重量％、ＫＯＨ０〜２０重量％、約６〜１３重量％の有効塩素を含む次亜塩素酸アルカリ塩水溶液を有効塩素として０．２〜３重量％との混合物５０重量％と、水とからなり、アルカリ金属トリポリリン酸塩の加水分解が少ない液体洗浄剤（特許文献１を参照）や、ＮａＯＨまたはＫＯＨを１０〜２５重量％、ポリアクリル酸塩１〜５重量％、および電導度０．１マイクロジ−メンス（２０℃）以下の水残部とで構成された、貯蔵時に沈澱が生じず、洗浄力、スケール付着防止効果に優れた自動食器洗浄機用液体洗剤組成物（特許文献２を参照）が開示されている。
【０００４】
また、非イオン界面活性剤１〜３０重量％、Ｃａイオン捕捉キレート剤１〜５０重量％、リパーゼおよび所定のプルラナーゼを含有し、０．２重量％水溶液のｐＨが７〜１０である、澱粉質、油脂および蛋白質汚れ等の複合汚れに対しても洗浄力の優れた自動食器洗浄機用洗浄剤組成物が開示されている（特許文献３、４を参照）。
【０００５】
さらに、水酸化カリウム、水酸化ナトリウム等のアルカリ剤０．５〜３０重量％と、金属イオン捕捉能を有するアクリル酸および／またはマレイン酸系の高分子物質０．５〜３０重量％と、次亜塩素酸ナトリウム等の漂白剤０．１〜１０重量％を含有し、食器類の外観を損ねることのない、洗浄効果、漂白効果に優れた自動食器洗浄機用洗浄剤組成物が開示されている（特許文献５を参照）。
【０００６】
また、有効成分として、トリポリリン酸カリウム０．１〜４０質量％、トリポリリン酸ナトリウム０．１〜２０質量％、ＳｉＯ2 とＫ2 Ｏのモル比（ＳｉＯ2 ／Ｋ2 Ｏ）が０．５〜１のケイ酸カリウム１〜２０質量％、次亜塩素酸アルカリ金属塩を有効塩素量として０．２〜３質量％を含有するとともに、水を含有する洗浄剤組成物であって、その０．２質量％水溶液のｐＨが１１以上であり、次亜塩素酸アルカリ金属塩の安定性、低温安定性、金属イオン封鎖力の安定性、洗浄性に優れるとともに、特に再付着防止性能、仕上がり性およびスケ−ル生成抑制能にも優れた、界面活性剤を含まない自動洗浄機用液体洗浄剤組成物およびそれを用いた洗浄方法が開示されている( 特許文献６を参照) 。
【特許文献１】特公平２−２９７２０号公報
【特許文献２】特開平４−１５２９９号公報
【特許文献３】特公平６−９９７１４号公報
【特許文献４】特公平６−９９７１５号公報
【特許文献５】特開平８−１９９１９４号公報
【特許文献６】特開２００６−１９９７２３号公報
【発明の開示】
【発明が解決しようとする課題】
【０００７】
しかしながら、これらの洗浄剤組成物は、それぞれが特定の性能を満たすに過ぎず、総合的に満足のいくものは得られていないのが実情である。また、自動洗浄機への洗浄剤供給を連続的に行うことを考慮すれば、取り扱い上、液体洗浄剤とすることが好ましいが、界面活性剤の種類によっては、洗浄剤組成物の各成分を均一に溶解させた状態で維持することができず、液体洗浄剤として調製することが困難なものもある。
【０００８】
また、界面活性剤を含まない組成であっても、特に、再付着防止性能、仕上がり性およびスケール生成抑制性能とを兼ね備えた液体洗浄剤組成物を調製しようとする場合、やはり組成物の貯蔵安定性を維持することが容易でなく、低温域においても高温域においても安定したものを得ることは困難である。しかも、界面活性剤を含まず、かつ次亜塩素酸アルカリ金属塩を含有するものは、ガラス面に対し変色、損傷等の影響がでやすいという問題もある。
【０００９】
本発明は、このような事情に鑑みなされたもので、界面活性剤を含んでいないにもかかわらず、次亜塩素酸ナトリウムの安定性、金属イオン封鎖力の安定性、洗浄性能、再付着防止性能、仕上がり性およびスケール生成抑制能に優れ、特に、低温安定性、高温安定性に優れるとともに、ガラス面に対する影響もない、優れた自動食器洗浄機用液体洗浄剤組成物の提供をその目的とする。
【課題を解決するための手段】
【００１０】
上記の目的を達成するため、本発明は、有効成分として下記の（Ａ）〜（Ｅ）成分を含有するとともに、（Ｆ）水を含有し、上記有効成分量の合計が、組成物全体に対し１０〜５０質量％である自動食器洗浄機用液体洗浄剤組成物を第１の要旨とする。
（Ａ）トリポリリン酸ナトリウム２〜１３質量％
（Ｂ）ケイ酸ナトリウム１〜２０質量％
（Ｃ）水酸化カリウム０．１〜２０質量％
（Ｄ）次亜塩素酸アルカリ金属塩を有効塩素量として０．２〜３質量％
（Ｅ）高分子電解質重合体０．１〜５質量％
【００１１】
また、本発明は、そのなかでも、特に、有効成分として、さらに（Ｂ′）ケイ酸カリウム０．１〜２０質量％が含有されている自動食器洗浄機用液体洗浄剤組成物を第２の要旨とし、有効成分として、さらに（Ａ′）トリポリリン酸カリウム０．１〜２０質量％および（Ｃ′）水酸化ナトリウム０．１〜５質量％の少なくとも一方が含有されている自動食器洗浄機用液体洗浄剤組成物を第３の要旨とする。
【００１２】
さらに、本発明は、それらのなかでも、特に、上記自動洗浄機用液体洗浄剤組成物を希釈してなる０．２質量％水溶液のｐＨ（ＪＩＳ  Ｚ−８８０２：１９８４「ｐＨ測定方法」）が、２５℃で１１以上に設定されている自動食器洗浄機用液体洗浄剤組成物を第４の要旨とする。
【発明の効果】
【００１３】
すなわち、本発明の自動食器洗浄機用液体洗浄剤組成物（以下「本洗浄剤組成物」という）は、上記特殊な組成を備えているため、次亜塩素酸アルカリ金属塩の安定性、金属イオン封鎖力の安定性、洗浄性、再付着防止性能、仕上がり性、スケール生成抑制能のいずれについても優れた特性を備えている。しかも、従来の、界面活性剤を含まないタイプの組成のものは、ガラス面に対し変色、損傷等の影響が出やすいことが問題となっていたが、本発明のものは、このような影響が生じないという点においても優れている。
【００１４】
さらに、本洗浄剤組成物は、低温での保存安定性に優れるとともに、高温下に保存した場合でも、次亜塩素酸ナトリウムの分解が最小限に抑えられ、しかも、スケールの発生の原因や洗浄力の低下の原因となる水道水中に含まれる金属イオンを封鎖する能力が経時的に安定であるため、長期にわたり製造直後と同様の性能を維持できる。このため、保存期間や保存条件が異なっても、常に洗浄力、食器の仕上がり、漂白力およびスケールの抑制効果を発揮することができる。
【００１５】
したがって、本洗浄剤組成物は、ガラス、陶磁器、金属、プラスチック等の硬表面の洗浄用途に適している。また、食器に限らず、各種製造工場，加工工場等における器具や容器、流通に用いられるプラスチックコンテナ等を洗浄するための自動洗浄機用途としても使用可能である。このほか、食品工場・食品加工工場等のタイル、床等の硬表面の洗浄、飲料用のガラス瓶・ビール瓶等の容器洗浄、金属表面洗浄にも好ましく用いることができる。特に、ホテル、レストラン、学校、病院、飲食店、給食会社、会社の食堂等における自動食器洗浄機に用いるのに好適である。
【発明を実施するための最良の形態】
【００１６】
つぎに、本発明を実施するための最良の形態を詳細に説明する。
【００１７】
まず、本発明の洗浄剤組成物は、有効成分として（Ａ）トリポリリン酸ナトリウム、（Ｂ）ケイ酸ナトリウム、（Ｃ）水酸化カリウム、（Ｄ）次亜塩素酸アルカリ金属塩、（Ｅ）高分子電解質重合体を含有するとともに、（Ｆ）水を含有するものである。
【００１８】
また、本洗浄剤組成物には、必要に応じて、有効成分として、上記（Ａ）〜（Ｅ）とともに、（Ｂ′）ケイ酸カリウムを含有させることができる。あるいは、（Ａ′）トリポリリン酸カリウムおよび（Ｃ′）水酸化ナトリウムの少なくとも一方を含有させることができる。
【００１９】
上記（Ａ）成分のトリポリリン酸ナトリウムは、通常、無水物、水和物として入手可能である。
【００２０】
そして、上記（Ａ）成分は、本洗浄剤組成物中において２〜１３質量％の範囲で配合される。２質量％未満では、洗浄性能およびスケール生成抑制性能に欠けるものとなり、また、１３質量％を超えて配合した場合には、他の成分とのバランスから分離や沈殿を生じやすくなり低温安定性に乏しいものとなる。
【００２１】
また、上記（Ｂ）成分のケイ酸ナトリウムは、ＳｉＯ2 とＮａ2 Ｏのモル比（ＳｉＯ2 ：Ｎａ2 Ｏ）が１：２〜３．８：１のケイ酸ナトリウム水溶液、または、粉状、粒状、結晶状のメタケイ酸ナトリウム、オルソケイ酸ナトリウム等の無水物、水和物として入手可能である。
【００２２】
上記（Ｂ）成分は、本洗浄剤組成物中において１〜２０質量％の範囲で配合される。１質量％未満では（Ａ）成分とのバランスから金属イオン封鎖性能に乏しくなるとともに、洗浄性能に乏しいものとなる。また、２０質量％を超えて配合した場合には、分離や沈殿を生じやすくなり、低温安定性および高温安定性が低下したものとなる。
【００２３】
また、上記（Ｃ）成分の水酸化カリウムは、通常、４８質量％の液体状、粉体状および顆粒状のものとして入手可能であり、作業性の観点から液体状のものが好ましく用いられる。
【００２４】
上記（Ｃ）成分は、本洗浄剤組成物中において０．１〜２０質量％の範囲で配合される。０．１質量％未満では、低温安定性、洗浄性能および汚れの再付着防止性能に乏しいものとなり、特に蛋白質（卵黄）汚れに対する洗浄性能に欠けるものとなる。また、２０質量％を超えて配合した場合には、スケール生成抑制能に乏しくなるとともに、ガラス面に対する影響力が強くなり好ましくないものとなる。
【００２５】
上記（Ｄ）成分の次亜塩素酸アルカリ金属塩としては、次亜塩素酸ナトリウムが好適に用いられ、通常、有効塩素量が６質量％の水溶液、または１２質量％水溶液として供給されているものを用いることができる。
【００２６】
上記（Ｄ）成分は、本洗浄剤組成物中において、有効塩素量として０．２〜３質量％の範囲で配合される。有効塩素量として０．２質量％未満で配合した場合には、タンパク質汚れ（卵黄）に対する洗浄性能に乏しくなるとともに、茶渋に対する漂白力に欠けるものとなる。また、３質量％を超えて配合した場合には、低温安定性や次亜塩素酸アルカリ金属塩の安定性に乏しいものとなるとともに、塩素臭が強いものとなり、実用的でない。
【００２７】
さらに、上記（Ｅ）成分の高分子電解質重合体としては、ポリアクリル酸またはそのアルカリ金属塩等、メチルビニルエーテルとマレイン酸の共重合体またはそのアルカリ金属塩等、アクリル酸とマレイン酸の共重合体またはそのアルカリ金属塩等、炭素数が５個のオレフィンとマレイン酸の共重合体またはそのアルカリ金属塩等、ポリスチレンスルホン酸とマレイン酸の共重合体またはそのアルカリ金属塩等、アクリル酸と２−ヒドロキシ−３−アリロキシプロパンスルホン酸との共重合体またはそのアルカリ金属塩等があげられる。これらのアルカリ金属塩は、部分中和物であってもよい。
【００２８】
そして、上記（Ｅ）成分である高分子電解質重合体の平均分子量は、スケール付着抑制性能の点から、例えばポリアクリル酸またはそのアルカリ金属塩等においては１，０００〜６０，０００であることが好ましく、より好ましくは２，０００〜１５，０００である。また、アクリル酸とマレイン酸の共重合体またはそのアルカリ金属塩等である場合には、３０，０００〜１５０，０００であることが好ましく、より好ましくは４０，０００〜８０，０００である。
【００２９】
上記（Ｅ）成分は、単独で用いても２種以上を組み合わせて用いてもよい。そして、このものは、本洗浄剤組成物全体に対し、０．１〜５質量％配合され、好ましくは０．５〜３質量％の範囲で配合される。上記配合量が０．１質量％未満では、被洗浄物の洗浄性能、仕上がり性およびスケール付着抑制能を向上させる効果が不充分となり、５質量％を超えると、他の成分とのバランスや経済性の点から不具合を生じやすい。また、上記高分子電解質重合体の残存モノマー量は、次亜塩素酸アルカリ金属塩の貯蔵安定性の点から０．５質量％以下が好ましく、より好ましくは０．１質量％以下であることが好ましい。
【００３０】
また、上記（Ａ）〜（Ｅ）の必須の有効成分とともに用いることのできる、任意の有効成分である（Ｂ′）のケイ酸カリウムは、ＳｉＯ2 とＫ2 Ｏのモル比（ＳｉＯ2 ：Ｋ2 Ｏ）が１：２〜３．７：１のケイ酸カリウム水溶液、または、粉状、粒状、結晶状のケイ酸カリウム、メタケイ酸カリウム、オルソケイ酸カリウム等の無水物、水和物として入手可能である。
【００３１】
上記（Ｂ′）成分は、本洗浄剤組成物中において０．１〜２０質量％の範囲で配合することができる。２０質量％を超えて配合した場合には、スケール生成抑制能および次亜塩素酸ナトリウムの安定性に乏しいものとなるとともに、ガラス面に対する影響力が増大し好ましくないものとなる。
【００３２】
また、同じく任意の有効成分である（Ａ′）のトリポリリン酸カリウムは、通常、無水物、水和物として入手可能である。
【００３３】
上記（Ａ′）成分は、本洗浄剤組成物中において０．１〜２０質量％の範囲で配合することができる。２０質量％を超えて配合した場合には、高温安定性および次亜塩素酸ナトリウムの安定性に乏しいものとなるとともに、低温安定性に欠けたものとなる。
【００３４】
また、同じく任意の有効成分である（Ｃ′）の水酸化ナトリウムは、通常、２５質量％あるいは４８質量％の液体状、粉状、顆粒状およびフレーク状のものとして入手可能である。
【００３５】
上記（Ｃ′）成分は、本洗浄剤組成物中において０．１〜５質量％の範囲で配合することができる。５質量％を超えて配合した場合には、スケール生成抑制性能および次亜塩素酸ナトリウムの安定性に乏しいものとなるとともに、特に、低温安定性および高温安定性に欠け、さらにガラス面に対する影響力が増大し好ましくないものとなる。
【００３６】
そして、上記（Ａ）〜（Ｅ）成分、またはこれに（Ｂ′）成分もしくは（Ａ′）成分と（Ｃ′）成分の少なくとも一方、あるいは（Ｂ′）、（Ａ′）、（Ｃ′）の各成分を加えた有効成分量の合計は、本洗浄剤組成物全体に対し、１０〜５０質量％となるよう設定しなければならない。すなわち、１０質量％未満では、洗浄剤組成物がコンパクトなものとならず、大きな保管スペースを要するだけでなく、各種汚れに対する洗浄性能、スケール生成抑制性能も乏しいものとなり、不適である。一方、５０質量％を超えると、リン酸塩の加水分解が促進されるとともに低温安定性が乏しいものとなり、やはり不適である。
【００３７】
そして、本洗浄剤組成物は、（Ｆ）成分である水によって液体として調製される。上記水としては、純水、イオン交換水、軟水、蒸留水、水道水等があげられる。これらは、単独で用いても２種以上を組み合わせて用いてもよい。なかでも、経済性および貯蔵安定性の点から、水道水、イオン交換水が好ましく用いられる。
【００３８】
なお、上記「水」は、本発明の洗浄剤組成物を構成する各成分に由来する結晶水や水溶液の形で含まれる水と、その他の外から加えられる水との総和であり、組成物全体が１００％となるよう、上記有効成分や適宜添加される他の任意成分を除く残質量％配合される。
【００３９】
上記適宜添加される任意成分としては、染料、香料、ｐＨ調整剤、金属腐食抑制剤、殺菌剤、消臭剤、帯電防止剤等があげられる。
【００４０】
上記各成分を用いて得られる本洗浄剤組成物は、ＪＩＳＺ−８８０２：１９８４に従い、０．２質量％に調製された洗浄剤組成物の水溶液の２５℃におけるｐＨが、１１以上であることが好ましく、ｐＨ１１以上の液性において、特に、油脂汚れや蛋白質汚れの洗浄性能に優れるとともに、次亜塩素酸アルカリ金属塩の安定性に優れるという効果を奏する。
【００４１】
このように、本洗浄剤組成物は、上記特殊な組成を備えているため、次亜塩素酸アルカリ金属塩の安定性、金属イオン封鎖力の安定性、洗浄性能、再付着防止性能、仕上がり性、スケール生成抑制性能のいずれについても優れた特性を備えている。しかも、従来、問題となっていたガラス面への影響も全くもしくは殆ど生じることがなく、安心して使用することができるという利点を有する。
【００４２】
さらに、本洗浄剤組成物は、低温での保存安定性に優れるとともに、高温下に保存した場合でも、次亜塩素酸ナトリウムの分解が最小限に抑えられ、しかも、スケールの発生の原因や洗浄力の低下の原因となる水道水中に含まれる金属イオンを封鎖する能力が経時的に安定であるため、長期にわたり製造直後と同様の性能を維持することができる。このため、保存期間や保存条件が異なっても、常に洗浄力、食器の仕上がり、漂白力およびスケールの抑制効果を発揮することができる。
【００４３】
したがって、本洗浄剤組成物は、ガラス、陶磁器、金属、プラスチック等の硬表面の洗浄用途に適している。また、食器に限らず、各種製造工場，加工工場等における器具や容器、流通に用いられるプラスチックコンテナ等を洗浄するための自動洗浄機用途としても使用可能である。このほか、食品工場・食品加工工場等のタイル、床等の硬表面の洗浄、飲料用のガラス瓶・ビール瓶等の容器洗浄、金属表面洗浄にも好ましく用いることができる。特に、ホテル、レストラン、学校、病院、飲食店、給食会社、会社の食堂等における自動食器洗浄機に好適に用いることができる。
【００４４】
なお、本洗浄剤組成物は、汚れの種類や汚れの量（程度）、洗浄に用いられる水道水の水質等を考慮して、０．１〜０．５質量％の洗浄剤水溶液として、自動食器洗浄機に供給することにより、特に食器および調理器具に対して、優れた仕上がり効果を得ることができる。
【実施例】
【００４５】
つぎに、実施例について比較例と併せて説明する。なお、本発明は、以下の実施例に限定されるものではない。
【００４６】
後記の表１〜１８に示す実施例１〜４７および比較例１〜２２の組成（各表の数値の単位は質量％）の自動食器洗浄機用液体洗浄剤組成物（以下、「供試洗浄剤組成物」という）を調整し、そのｐＨ、金属イオン封鎖力の安定性、スケール生成抑制性能、低温安定性、高温安定性、洗浄性能、再付着防止性能、洗浄後の仕上がり性、ガラス面に対する影響および次亜塩素酸ナトリウムの安定性の１０項目について、下記の方法に従って試験し、評価した。ただし、ｐＨについては実施例１〜４７についてのみ測定した。
【００４７】
〔ｐＨ〕
・試験方法
ＪＩＳ  Ｚ−８８０２：１９８４に従い、０．２質量％に調整された各種供試洗浄剤組成物の水溶液の２５℃におけるｐＨを測定し、下記の評価基準で評価した。
【００４８】
・評価基準
○：ｐＨが１１以上である。
△：ｐＨが１１未満である。
【００４９】
〔金属イオン封鎖力の安定性〕
調整された各供試洗浄剤組成物２００ｍｌを、２５０ｍｌのポリプロピレン製容器に入れ、３８℃にて３ヶ月間保存した後、残存する金属イオン封鎖力を下記の方法で測定した。そして、保存前の金属イオン封鎖力に対する比率を、金属イオン封鎖力残存率（％) として求め、安定性を下記の判定基準に従い評価した。
【００５０】
・金属イオン封鎖力測定方法
調整された供試洗浄剤組成物の０．１５質量％溶液６０ｇを１００ｍｌビーカーに取り、ｐＨ緩衝液１ｍｌ、エリオクロムブラックＴ指示薬およびチオ硫酸ナトリウムを添加し、自動滴定装置（型式：ＴＳ−９８０、平沼産業株式会社製) を用いて、濃度既知の塩化カルシウム溶液で自動滴定し、次式から算出する。
【００５１】
【数１】
2009242643.tif 000002
【００５２】
・評価基準
◎：残存率が７０％以上
○：残存率が５０％以上７０％未満
△：残存率が３０％以上５０％未満
×：残存率が３０％未満
【００５３】
〔スケール生成抑制性能〕
・試験方法
人工硬水（総硬度: ２５０ｍｇ／Ｌ）を用いて、供試洗浄剤組成物を０．０５質量％に希釈し、容量１００ｍｌの比色管に５０ｍｌを注ぎ、インキュベータにより６０℃の雰囲気下に置いて２４時間保持した後、スケールの生成量を以下の基準で目視判定した。
【００５４】
・評価基準
◎：スケールの生成がなかった。
○：スケール生成が殆どなかった。
△：スケールの生成があった。
×：スケール付着が著しかった。
【００５５】
〔低温安定性〕
・試験方法
調整された供試洗浄剤組成物を２５０ｍｌのポリプロピレン製容器に入れ、その液温が、２４時間で、＋５℃〜−５℃のサイクルを描くように冷却、昇温する運転を１００日間連続して行い、結晶析出の有無を調べ、下記の評価基準により低温安定性を評価した。
【００５６】
・評価基準
◎：１００日後も析出が認められなかった。
○：６０日目から９９日目の間に析出が認められた。
△：３０日目から５９日目の間に析出が認められた。
×：２９日目までに析出が認められた。
【００５７】
〔高温安定性〕
・試験方法
調整された供試洗浄剤組成物２００ｍｌを、２５０ｍｌのポリプロピレン製容器に入れ、インキュベーターにより３８℃の雰囲気下に置き１００日間保管した。結晶析出や変色の有無を調べ、下記の評価基準により高温安定性を評価した。
【００５８】
・評価基準
◎：１００日後も析出・変色が認められなかった。
○：６０日目から９９日目の間に析出・変色が認められた。
△：３０日目から５９日目の間に析出・変色が認められた。
×：２９日目までに析出・変色が認められた。    
【００５９】
〔洗浄性能〕
・試験方法
調製された供試洗浄剤組成物を業務用の自動食器洗浄機（ＤＷ−ＲＤ６１、三洋電機社製）に投入し、下記の運転条件で運転した。そして、下記の被洗浄物である陶器皿を１０枚１組として洗浄し、その洗浄性能を後記の評価基準で評価した。なお、汚れとして牛脂、上新粉、カレー、卵黄、茶渋を用意し、それぞれの汚れに対し洗浄評価を行った。
【００６０】
・運転条件
洗剤濃度    ：０．２質量％
洗浄温度    ：６０℃
すすぎ温度  ：８０℃
洗浄コース  ：標準洗浄サイクル（洗浄：４３秒、すすぎ：１５秒）
水道水の硬度：（ＣａＣＯ3 として）７０〜８０ｍｇ／Ｌ
牛脂汚れ    ：精製牛脂を用いた。
上新粉汚れ  ：上新粉２５ｇに対し水７５ｇを加え、途中かき混ぜながら２０分間煮沸し、のり状となったものを用いた。
カレー汚れ  ：市販のレトルトカレー（ボンカレー）を用いた。  
卵黄汚れ    ：卵黄のみをとりわけ、よくかき混ぜて用いた。
茶渋汚れ    ：粉茶５０ｇを１Ｌのお湯の中に入れ１時間煮立てたものを用いた。
被洗浄物    ：直径１０ｃｍの陶器皿に上記汚れを４ｇ／枚となるように付着させ、常温で１時間乾燥させたものを用いた。また、茶渋汚れについては、陶磁器皿の表面を＃１８０のサンドペーパーで傷をつけ、そこに茶渋汚れ１０ｇをのせ、１００℃の乾燥機に入れ、水分を完全に除去したものを用いた。
【００６１】
・評価基準
◎…９０％以上の汚れ除去
○…７０％以上９０％未満の汚れ除去
△…５０％以上７０％未満の汚れ除去
×…５０％未満の汚れ除去
【００６２】
〔再付着防止性能〕
・試験方法  
調製された供試洗浄剤組成物と共にオイルレッド（ズダンＩＶ、和光純薬工業社製）で着色したサラダ油３０ｇを業務用の自動食器洗浄機（ＤＷ−ＲＤ６１、三洋電機社製）に投入し、下記の運転条件で運転して、メラミン製の清浄皿への汚れの付着の程度を以下の基準で目視判定した。
【００６３】
・運転条件
洗剤濃度    ：０．２質量％
洗浄温度    ：６０℃
すすぎ温度  ：８０℃
洗浄コース  ：標準洗浄サイクル（洗浄：４３秒、すすぎ：１５秒）
水道水の硬度：（ＣａＣＯ3 として）７０〜８０ｍｇ／Ｌ
【００６４】
・評価基準
◎…清浄皿に汚れが全く付着していなかった。
○…清浄皿に汚れが殆ど付着していなかった。
△…清浄皿に汚れが付着していた。
×…清浄皿に汚れがかなり付着していた。  
【００６５】
〔洗浄後仕上がり性〕
・試験方法
調製された供試洗浄剤組成物を業務用の自動食器洗浄機（ＤＷ−ＲＤ６１、三洋電機社製）に投入し、下記の条件で運転した。そして、後記に示す被洗浄物であるガラスコップを１０個１組として洗浄し、洗浄後の仕上がり性能を後記の評価基準で評価した。
【００６６】
・運転条件
洗剤濃度    ：０．２質量％
洗浄温度    ：６０℃
すすぎ温度  ：８０℃
洗浄コース  ：標準洗浄サイクル（洗浄：４３秒、すすぎ１５秒）
使用水の硬度：（ＣａＣＯ3 として）７０〜８０ｍｇ／Ｌ
被洗浄物    ：８オンスのガラスコップ（佐々木硝子社製）に牛乳を注いだ後、５分間放置した。ついで、牛乳を捨てた後、水ですすぐことなく３０分間風乾した。
【００６７】
・評価基準
◎：ウォータースポットが全くみられない。
○：ウォータースポットが１〜２個みられる。
△：ウォータースポットが３〜５個みられる。
×：ウォータースポットが６個以上みられる。
【００６８】
〔ガラス面に対する影響〕
・試験方法
調製された供試洗浄剤組成物中に、市販の通常のタンブラーグラス（ソーダガラス製）を下記の条件で浸漬した。そして、浸漬後のタンブラーグラスの状態を目視により観察し、下記の評価基準で評価した。
【００６９】
・浸漬条件
洗剤濃度    ：０．２質量％
浸漬温度    ：６０℃
浸漬時間    ：２週間
【００７０】
・評価基準
◎…タンブラーグラス表面に変色や腐食が認められない。
○…タンブラーグラス表面がわずかに変色している。
△…タンブラーグラス表面の変色が大きい。
×…タンブラーグラス表面の腐食が大きい。
【００７１】
〔次亜塩素酸ナトリウムの安定性〕
・試験方法
調整された供試洗浄剤組成物を２５０ｍｌのポリプロピレン製容器に入れ、３８℃にて１ヶ月間保存した後、残存する有効塩素を下記の方法で測定し、保存前の有効塩素に対する比率を、有効塩素残存率（％) として求め、安定性を下記の判定基準に従い評価した。
【００７２】
・有効塩素測定法
試料３ｇを２００ｍｌ三角フラスコに取り、それに１０質量％ヨウ化カリウム溶液１５ｍｌ、（１＋１）硫酸１０ｍｌを添加し、冷暗所に３分間静置してヨウ素を遊離させ、次に０．１Ｎチオ硫酸ナトリウム規定液でヨウ素の黄色が消失するまで滴定し、次式から算出する。
【００７３】
【数２】
2009242643.tif 000003
【００７４】
・評価基準
◎：残存率が７０％以上
○：残存率が５０％以上７０％未満
△：残存率が３０％以上５０％未満
×：残存率が３０％未満
【００７５】
また、後記の表１〜表１８において、供試洗浄剤組成物を構成する各成分とその有効純分（質量％）の詳細は、以下のとおりであり、後記の表中の数値は、有効純分１００質量％に換算して示したものである。なお、表中の「水」は、供試洗浄剤組成物を構成する各成分に由来する結晶水や水溶液の形で含まれる水と外から加えられる水との総和であり、供試洗浄剤組成物全体が１００質量％となるようバランスとして示される。
【００７６】
〔Ａ成分〕
・トリポリリン酸ナトリウム
商品名：ワンデットＢ、日本化学工業社製
〔Ａ′成分〕
・トリポリリン酸カリウム（純分５０％）
商品名：ＫＴＰ、日本化学工業社製
【００７７】
〔Ｂ成分〕  
・ケイ酸ナトリウム（純分３９％、モル比Ｓｉ2 Ｏ：Ｎａ2 Ｏ＝３：１）
商品名：ＪＩＳ３号珪酸ソーダ、広栄化学社製
〔Ｂ′成分〕  
・ケイ酸カリウム（純分４０％、モル比Ｓｉ2 Ｏ：Ｋ2 Ｏ＝３：１）
商品名：Ａ珪酸カリ、日本化学工業社製
【００７８】
〔Ｃ成分〕
・水酸化カリウム（純分４８％）
商品名：苛性カリ４８％、東亞合成社製
〔Ｃ′成分〕
・水酸化ナトリウム（純分２５％）
商品名：苛性ソーダ２５％、信越化学工業社製
【００７９】
〔Ｄ成分〕
・次亜塩素酸ナトリウム（純分１２％）
商品名：アロンクリーン、東亞合成社製
【００８０】
〔Ｅ成分〕
・高分子電解質重合体１
ポリアクリル酸  （純分４８％、平均分子量４，５００）
商品名：Ｐｒｉｍａｌ  ＬＭＷ−４５、ＲＯＨＭ＆ＨＡＡＳ社製
・高分子電解質重合体２
ポリアクリル酸ナトリウム（純分４５％、平均分子量４，５００）
商品名：Ａｃｕｓｏｌ  ４４５Ｎ、ＲＯＨＭ＆ＨＡＡＳ社製
・高分子電解質重合体３
ポリアクリル酸ナトリウム（純分４５％、平均分子量８，０００）
商品名：Ｓｏｋａｌａｎ  ３０ＣＬ、ＢＡＳＦ社製
・高分子電解質重合体４
ポリアクリル酸ナトリウム（純分４５％、平均分子量４，０００）
商品名：Ｓｏｋａｌａｎ  ２５ＣＬ、ＢＡＳＦ社製
・高分子電解質重合体５
ポリアクリル酸ナトリウム（純分４３％、平均分子量２，０００）
商品名：ＡｌｏｎＡ−２１０、東亞合成社製
・高分子電解質重合体６
アクリル酸−マレイン酸共重合体のナトリウム塩（純分３５％、平均分子量４０，０    ００）
商品名：Ａｃｕｓｏｌ  ５０５Ｎ、ＲＯＨＭ＆ＨＡＡＳ社製
・高分子電解質重合体７
ポリ−α−ヒドロキシポリアクリル酸ナトリウム（純分３０％、平均分子量１０，０    ００〜１４，０００）
商品名：ペールプラック１２００、日本パーオキサイド社製
・高分子電解質重合体８
アクリル酸−２−ヒドロキシ−３−アリロキシプロパンスルホン酸ナトリウム（純分    ５０％、平均分子量３，０００）
商品名：Ａｑｕａｌｉｃ  ＧＬ２４６、日本触媒社製
【００８１】
〔他の成分〕
・クエン酸三ナトリウム・二水塩
商品名：クエン酸三ナトリウム結晶、磐田化学工業社製
・ニトリロ三酢酸三ナトリウム・一水塩
商品名：Ｔｒｉｌｏｎ  Ａ９２Ｒ、ＢＡＳＦ社製
【００８２】
【表１】
2009242643.tif 000004
【００８３】
【表２】
2009242643.tif 000005
【００８４】
【表３】
2009242643.tif 000006
【００８５】
【表４】
2009242643.tif 000007
【００８６】
【表５】
2009242643.tif 000008
【００８７】
【表６】
2009242643.tif 000009
【００８８】
【表７】
2009242643.tif 000010
【００８９】
【表８】
2009242643.tif 000011
【００９０】
【表９】
2009242643.tif 000012
【００９１】
【表１０】
2009242643.tif 000013
【００９２】
【表１１】
2009242643.tif 000014
【００９３】
【表１２】
2009242643.tif 000015
【００９４】
【表１３】
2009242643.tif 000016
【００９５】
【表１４】
2009242643.tif 000017
【００９６】
【表１５】
2009242643.tif 000018
【００９７】
【表１６】
2009242643.tif 000019
【００９８】
【表１７】
2009242643.tif 000020
【００９９】
【表１８】
2009242643.tif 000021
【０１００】
上記実施例１〜４７の本洗浄剤組成物は、金属イオン封鎖力の安定性、スケール生成抑制性能、低温安定性、高温安定性、洗浄性能、再付着防止性能、洗浄後の仕上がり性、ガラス面に対する影響および次亜塩素酸ナトリウムの安定性のすべての項目において良好な結果が得られていることがわかる。